(57)【要約】【課題】弁挿入時は弁体を縮径状態にして損傷を防ぎ、止水状態においては、止水ゴムを均等に押圧して、流体管に真円度がない場合でも確実に止水状態を保持できるバタフライ弁の止水構造を提供する．【解決手段】バタフライ弁６を、水道本管１の外方に延出している段付き中空軸１６及びスピンドル３６と、段付き中空軸１６先端に取り付けた弁本体７と、スピンドル３６の回動に応じて上下動するスピンドル下部３６ａに螺合した上部及び下部ネジ駒６６ａ、６６ｂと、これらネジ駒６６ａ、６６ｂの上下動に応じて弁本体７の外周に装着した止水ゴムＧを水道本管１の内面に押圧、又は押圧解除する拡張リンク６２とから構成することで、バタフライ弁６挿入時におけるバタフライ弁本体７の損傷が防げ、止水位置では止水ゴムＧを水道本管１の内面に押圧できる。【選択図】　図２
2004125091.tif 000002
【特許請求の範囲】
【請求項１】
流体管の管軸方向に穿設した挿入孔からバタフライ弁を挿入し、該バタフライ弁を９０度回動して該流体管の流れを止水するバタフライ弁の止水構造であって、前記バタフライ弁は流体管の外方に延出している弁操作棒及びスピンドルと、前記弁操作棒先端に取り付けた弁本体と、前記スピンドルの回動に応じて上下動する該スピンドルに螺合したネジ駒と、前記ネジ駒の上下動に応じて弁本体の円周方向に配置した止水ゴムを流体管の内面に押圧、又は押圧解除する拡張リンクから成ることを特徴とするバタフライ弁の止水構造。
【請求項２】
前記拡張リンクは弁本体に枢着された一対の揺動体である請求項１に記載のバタフライ弁の止水構造。
【請求項３】
前記ネジ駒は前記スピンドルの回動方向に対して互いに近接もしくは離反する１対の駒から成り、前記拡張リンクは前記一対のネジ駒の離反によって止水ゴムを流体管の内面に押圧し、一対のネジ駒の近接により前記押圧を解除できるようにした請求項１に記載のバタフライ弁の止水構造。
【請求項４】
前記拡張リンクは円周方向に均等に配置された４つのリンクから成り、前記ネジ駒の近接、離反に対して半径方向に可動に支持されている請求項３に記載のバタフライ弁の止水構造。
【請求項５】
前記バタフライ弁を挿入孔より挿入後、弁本体が止水位置となる弁操作棒の９０度までの回動は、前記スピンドルの回動に伴う弁操作棒の連れ回りで行い、前記スピンドルの９０度を超える回動はネジ駒の移動に変換される請求項１ないし４の何れかに記載のバタフライ弁の止水構造。
【請求項６】
前記スピンドルと前記弁操作棒はロックピンを介して連結され、前記スピンドルに旋回部材を装着することで該ロックピンが作動して該弁操作棒の回動が許容される請求項１ないし５の何れかに記載のバタフライ弁の止水構造。
【請求項７】
前記弁操作棒は前記流体管に取り付けた弁支持部材に設けた回動規制部材により９０度以上の回動が阻止されている請求項１ないし６の何れかに記載のバタフライ弁の止水構造。
【発明の詳細な説明】
【０００１】
【発明の属する技術分野】
本発明は、流体管の管軸方向に穿設した挿入孔からバタフライ弁を挿入し、該バタフライ弁を９０度回動して該流体管の流れを止水するバタフライ弁の止水構造に関する。
【０００２】
【従来の技術】
例えば、水道本管等の既設流体管を不断水状態で穿孔し、この穿孔部分にバタフライ弁を挿入して既設流体管内の流れを止水して、管体の補修、取り替え等の所要の工事を行う場合に、バタフライ弁を挿入後９０度回動させて既設流体管内の流れを止水する技術が知られている（特許文献１参照）。また、穿孔部分より栓本体を縮径状態で挿入し、挿入後に、モルタル等の硬化可能な充填物を投入して栓本体を拡張して流体管の内壁に密着させるものも知られている（特許文献２参照）。
【０００３】
【特許文献１】
特開２０００−１３０６８２号公報（第４頁、図８，図１０）
【特許文献２】
特開平１０−３１１４８８号公報（第３頁、図１）
【０００４】
【発明が解決しようとする課題】
しかしながら、上記特許文献１に記載のものは、バタフライ弁が縮径状態になっていないので穿設した挿入孔にバタフライ弁を挿入するときに弁体を損傷させる恐れがあり、又、９０度回動させた止水位置において、流体管に真円度がない場合は止水能力に限界があった。一方、上記特許文献２に記載のものは、栓本体を縮径状態で挿入するので弁体を損傷させる恐れはないが、止水時に充填物を投入しなければならず、設備が大がかりとなるばかりでなく、工事完了後流体管を流通状態に戻すときは充填物を排出しなければならず、作業が繁雑であった。
【０００５】
本発明は、上記課題に鑑みてなされたもので、弁挿入時は弁体を縮径状態にして損傷を防ぎ、止水状態においては、止水ゴムを均等に押圧して、流体管に真円度がない場合でも確実に止水状態を保持できるバタフライ弁の止水構造を提供することを目的としている。
【０００６】
【課題を解決するための手段】
上記課題を達成するために、本発明のバタフライ弁の止水構造は、流体管の管軸方向に穿設した挿入孔からバタフライ弁を挿入し、該バタフライ弁を９０度回動して該流体管の流れを止水するバタフライ弁の止水構造であって、前記バタフライ弁は流体管の外方に延出している弁操作棒及びスピンドルと、前記弁操作棒先端に取り付けた弁本体と、前記スピンドルの回動に応じて上下動する該スピンドルに螺合したネジ駒と、前記ネジ駒の上下動に応じて弁本体の円周方向に配置した止水ゴムを流体管の内面に押圧、又は押圧解除する拡張リンクから成ることを特徴としている。
この特徴によれば、止水ゴムに対する押圧を解除して挿入孔からバタフライ弁を挿入できるので弁体の損傷が防げ、止水位置では止水ゴムを流体管の内面に押圧できるので確実な止水効果が得られる。
【０００７】
本発明のバタフライ弁の止水構造において、前記拡張リンクは弁本体に枢着された一対の揺動体であることが好ましい。
このようにすれば、揺動体の揺動運動という単純な機構で確実に止水ゴムを作動させることができる。
【０００８】
本発明のバタフライ弁の止水構造において、前記ネジ駒は前記スピンドルの回動方向に対して互いに近接もしくは離反する１対の駒から成り、前記拡張リンクは前記一対のネジ駒の離反によって止水ゴムを流体管の内面に押圧し、一対のネジ駒の近接により前記押圧を解除できるようにすることが好ましい。
このようにすれば、一対のネジ駒の近接もしくは離反距離が相等しいので、均等な止水ゴムの押圧が実現できる。
【０００９】
本発明のバタフライ弁の止水構造において、前記拡張リンクは円周方向に均等に配置された４つのリンクから成り、前記ネジ駒の近接、離反に対して半径方向に可動に支持されていることが好ましい。
このようにすれば、４つのリンクの半径方向の拡張作用でより均一な押圧力を止水ゴムに与えることができる。
【００１０】
本発明のバタフライ弁の止水構造において、前記バタフライ弁を挿入孔より挿入後、弁本体が止水位置となる弁操作棒の９０度までの回動は、前記スピンドルの回動に伴う弁操作棒の連れ回りで行い、前記スピンドルの９０度を超える回動はネジ駒の移動に変換されることが好ましい。
このようにすれば、９０度回動した弁本体の止水位置で止水ゴムの押圧作用が自動的に開始されるので、止水作業が容易に行える。
【００１１】
本発明のバタフライ弁の止水構造において、前記スピンドルと前記弁操作棒はロックピンを介して連結され、前記スピンドルに旋回部材を装着することで該ロックピンが作動して該弁操作棒の回動が許容されることが好ましい。
このようにすれば、スピンドルに旋回部材を装着しない限り弁操作棒の回動ができないので、むやみに止水弁が働くことはない。
【００１２】
本発明のバタフライ弁の止水構造において、前記弁操作棒は前記流体管に取り付けた弁支持部材に設けた回動規制部材により９０度以上の回動が阻止されていることが好ましい。
このようにすれば、バタフライ弁が流体管軸方向に対して止水位置となる９０度の範囲までしか回動できないので、挿入位置と止水位置の位置決めが確実に設定できる。
【００１３】
【発明の実施の形態】
以下、本発明の実施例を図面に基づいて説明する。
【００１４】
図１〜図３は、本発明の一実施形態を示すもので、図１は本発明に係るバタフライ弁の閉鎖状態において、止水構造により既設流体管を止水した状態を示す断面図、図２は図１のＡ−Ａ断面図、図３の（ａ）はバタフライ弁の開閉操作機構を示す断面図であり、（ｂ）は（ａ）の平面図である。
【００１５】
図１及び図２に示す符号１は既設流体管を示し、既設流体管１（以下水道本管と称する）における上部側壁には後述するバタフライ弁６を挿入するための楕円形のバタフライ弁挿入孔Ｈが管軸方向に穿設されると共に、水道本管１の内壁底面にはバタフライ弁挿入孔Ｈの長手方向中心にバタフライ弁軸支持穴ｈが穿設される。
【００１６】
水道本管１のバタフライ弁挿入孔Ｈの外周には密閉ハウジング２が装着されており、この密閉ハウジング２は、水道本管１の下面外周に装着される半円弧状に形成された所定長さの下部ハウジング４と、水道本管１を挟んで水道本管１の上面外周に下部ハウジング４と対向配置された半円弧状の上部ハウジング５とから構成され、下部ハウジング４と上部ハウジング５を連結することで水道本管１の上下外周が液密に密閉される。
【００１７】
上部ハウジング５には、断面楕円形状の筒体８が上方に突設して、その上端に形成された開口端外周にはフランジ８ａが設けられ、筒体８の上部開口を通してバタフライ弁６が水道本管１の内部に挿入された際に、バタフライ弁挿入装置の下部に取付けられたバタフライ弁支持部材１０が図２に示す筒体８上部の大径段付き筒体８ｂ内に液密に挿嵌支持されたところで、バタフライ弁支持部材１０からバタフライ弁挿入装置が取り外されると同時に、バタフライ弁支持部材１０の上面がフランジ１２を介して筒体８上端のフランジ８ａに取付けられて液密に保持される。
【００１８】
詳しくは、バタフライ弁支持部材１０の上部にはバタフライ弁操作装置１４が設けられると共に、その下部にはバタフライ弁６が水道本管１内部に差し込まれた際にバタフライ弁挿入孔Ｈを密閉する楕円形状のシール装置１５が設けられており、バタフライ弁支持部材１０の中央には弁操作棒としての段付き中空軸１６が回転自在に挿通保持されると共に、この段付き中空軸１６はバタフライ弁操作装置１４よりシール装置１５を挿通して下方まで延びている。
【００１９】
シール装置１５は、バタフライ弁支持部材１０の直下に一対のネジ軸５６ａ、５６ｂを介して固定され中央に段付き中空軸１６及びスピンドル３６（図２参照）が挿通した押圧体５８と、押圧体５８の下面に装着されバタフライ弁挿入孔Ｈの周囲並びにスピンドル３６の外周をシールするゴム状のシール部材６０とから構成されている。
【００２０】
また、バタフライ弁操作装置１４は、図３（ａ）、（ｂ）に示すように、バタフライ弁回動規制部材２０と、クラッチ部材３０とから成り、バタフライ弁回動規制部材２０は、バタフライ弁支持部材１０の上面中央に取付けられ、段付き中空軸１６を挿通保持する円板状のリテーナ１８と、このリテーナ１８の上部周縁に約９０度の円弧状に立設した平面視扇形の側壁２１と、この側壁上部に円弧に沿って形成された天板２２と、側壁２１の両端に形成された当接壁２４ａ、２４ｂとから構成されている。
【００２１】
前記リテーナ１８より上方に挿通突出した段付き中空軸１６には揺動レバー３２が挿通し、この揺動レバー３２は、左右一対の枢支軸３４ａ、３４ｂを介して段付き中空軸１６に揺動可能に枢支され、揺動レバー３２の一端には当接部３２ａが形成されると共に、その他端にはロックピンとしての操作軸３５がヒンジピン３７にて枢着されている。
【００２２】
段付き中空軸１６の上端からはスピンドル３６が挿通突出し、その上端には旋回部材としての旋回部材４０下端の装着穴に装着可能なテーパ状のホルダ３８が固定され、ホルダ３８の直下にはクラッチ部材３０が配設されている。
【００２３】
クラッチ部材３０は、ホルダ３８の直下に密着した状態でスピンドル３６に固定されたクラッチ板４２と、段付き中空軸１６の上端に挿嵌固定した支持リング５０と、この支持リング５０上面に支持された受け板４５ａに複数の圧縮ばね５２を介して上方に押圧付勢される押圧板４５ｂとから構成されており、クラッチ板４２は複数の硬球４４を介して押圧板４５ｂにより上方に押圧され、段付き中空軸１６はスピンドル３６に対して圧縮ばね５２による押圧力に打ち勝つと、相対回転し得るようになっている。
【００２４】
また、押圧板４５ｂの側面から半径方向に突出した突出部４６には、揺動レバー３２他端の突出部３２ｂを挿通しヒンジピン３７を介して枢着された操作軸３５が圧縮ばね４８により上方に押圧付勢されて操作軸３５の頭部３５ａが上方に突出し、操作軸３５下端に枢着された揺動レバー３２の当接部３２ａを下方に押し下げた状態（図３ａにおいて２点鎖線で示されている）に維持している。
【００２５】
この状態で、テーパ状のホルダ３８に旋回部材４０が装着された際、旋回部材４０の下端が操作軸３５の頭部３５ａを圧縮ばね４８に抗して押し下げることで、揺動レバー３２一端の当接部３２ａを上方に押上げて水平状態が保持されるようになっている。
【００２６】
次に、バタフライ弁の構造に付き説明する。バタフライ弁６は、図示しないバタフライ弁挿入装置によりバタフライ弁挿入孔Ｈを通して水道本管１の内部に差し込まれた状態では図１に示す仮想線の状態（開弁状態）で収容される。図１及び図２に示すバタフライ弁６は、仮想線の状態から９０度回動して水道本管１が閉塞された状態を示している。
【００２７】
このバタフライ弁６は、図２に示すように、中央連結部材６８とこれと一体化した円弧状に形成された上下部連結部材７０ａ、７０ｂから成る弁本体７と、４分割された所定厚みのリンク片６２ａ、６２ｂ、６２ｃ、６２ｄから成る拡張リンク６２と、拡張リンク６２の外周に装着された環状の止水ゴムＧとで構成されている。
【００２８】
拡張リンク６２の上方にある左右のリンク片６２ａ、６２ｂはその中心に向けて突出したアーム６４を有し、このアーム６４はそれぞれ上部ネジ駒６６ａに設けた左右の枢支ピン６５に軸着されている。上部ネジ駒６６ａはアーム６４を両側から挟持すると共に、枢支ピン６５が水平方向に移動できる長穴６７が形成されている。
【００２９】
そして上部ネジ駒６６ａが上方に移動すると枢支ピン６５が上方に移動しながら長穴６７の外方に逃げることができるので、リンク片６２ａ、６２ｂは半径方向外方に駆動される。逆に上部ネジ駒６６ａが下方に移動すると枢支ピン６５が下方に移動しながら長穴６７の内方に逃げることができるので、リンク片６２ａ、６２ｂは半径方向内方に駆動される。
【００３０】
拡張リンク６２の下方にある左右のリンク片６２ｃ、６２ｄは同様に、その中心に向けて突出したアーム６４を有し、このアーム６４はそれぞれ下部ネジ駒６６ｂに設けた左右の枢支ピン６５に軸着されている。下部ネジ駒６６ｂはアーム６４を両側から挟持すると共に、枢支ピン６５が水平方向に移動できる長穴６７が形成されている。そして左右のリンク片６２ｃ、６２ｄは上方のリンク片６２ａ、６２ｂとは反対に、下部ネジ駒６６ｂの下方移動で半径方向外方に、上方移動で半径方向内方に駆動されることになる。
【００３１】
弁本体７の止水ゴムＧを挟んだ両側面には、図１に示すように、例えばネジを介して一対の止水ゴムＧの外径より若干小径に形成された円板状カバー７４ａ、７４ｂが取着されている。この円板状カバー７４ａ、７４ｂには枢支ピン６５の両端を所定範囲で放射方向に案内支持する４本の放射溝７２が形成されている。
【００３２】
シール部材６０の中央に挿通保持されたガイドブッシュ７６には、段付き中空軸１６の下端が挿通保持されると共に、その中空軸１６の端部は上部連結部材７０ａに連結されている。下部に配設されたガイドブッシュ７８ないし下部ハウジング４のバタフライ弁軸支持穴ｈには下部連結部材７０ｂと連結した受部材８２が保持されている。
【００３３】
また、図２に示すように、段付き中空軸１６の下端から下方に延出したスピンドル３６の下端が受部材８２の上部に形成された支持穴内に回転自在に挿嵌保持されており、スピンドル下部３６ａの上下に螺設された正逆の雄ネジが上下のネジ駒６６ａ、６６ｂ中央に形成された正逆の雌ネジにそれぞれ螺合し、スピンドル３６の一方向の回転によりネジ駒６６ａ、６６ｂを互いに接近、離間できるように構成されている。
【００３４】
次に、上記のように構成されたバタフライ弁の止水作用に付き説明する。
【００３５】
先ず、図１に示すように、水道本管１の上部側壁に形成された楕円形のバタフライ弁挿入孔Ｈを通して図示しないバタフライ弁挿入装置を用いてバタフライ弁６が水道本管１の内部に挿入される。
【００３６】
バタフライ弁６が水道本管１内に仮想線で示す開弁状態で挿入されると同時に、バタフライ弁支持部材１０が大径段付き筒体８ｂ内に挿嵌支持され、バタフライ弁挿入孔Ｈがシール部材６０により密閉閉塞される。
【００３７】
次に、バタフライ弁挿入装置がバタフライ弁支持部材１０から取り外されるときは、バタフライ弁支持部材１０の上面がフランジ１２を介して筒体８上端のフランジ８ａに取り付けられて液密に保持される。
【００３８】
バタフライ弁６の挿入によって、スピンドル下部３６ａの下端は、図２に示すように受部材８２上部の支持穴内に回転自在に挿嵌保持され、この状態における揺動レバー３２の当接部３２ａは、圧縮ばね４８により上方に付勢される操作軸３５を介して下方に位置しており、当接部３２ａは、図３の（ａ）に示すバタフライ回動規制部材１０の一方の当接壁２４ａに当接した状態で、当接壁２４ａから所定距離離間した近傍位置に内方に向けて突設した規制ピン５４により、揺動レバー３２の弁軸まわりの回転が阻止されている。
【００３９】
次に、スピンドル３６上端のテーパ状ホルダ３８に旋回部材４０を装着することで、旋回部材４０の下端が操作軸３５上端の頭部３５ａに当接し、操作軸３５が圧縮ばね４８の付勢力に抗して下方に移動することで、揺動レバー３２の当接部３２ａ上方に揺動して規制ピン５４による回動規制から開放される。
【００４０】
水平状態となった揺動レバー３２は、揺動レバー３２の回転規正が解除されて当接部３２ａの上端が剣先形状に形成された位置決めボルト２５ａ下端に係合して位置決め保持されている。
【００４１】
これにより、段付き中空軸１６は回転が可能な状態となり、操作ハンドル４０ａにより旋回部材４０を回転操作することで、揺動レバー３２を介して当接部３２ａは他方の当接部２４ｂに当接するまで（丁度９０度）回転することができ、これにより弁本体７が中空軸１６により駆動され、バタフライ弁６は図１及び図２に示す閉塞位置まで回転する。
【００４２】
段付き中空軸１６は、当接部２４ｂとの当接により回転が規制された状態となるが、旋回部材４０を更に回動させるとクラッチ部材３０が作用して回動が規制されている段付き中空軸１６に対し、圧縮ばね５２を介して上方に押圧付勢される押圧板４５ｂに対しスピンドル３６と一体化したクラッチ板４２が複数の硬球４４を介して相対回転する。
【００４３】
これによるスピンドル３６の一方向回動により、上下のネジ駒６６ａ、６６ｂが互いに離れる方向に平行移動することで４本の枢支ピン６５が放射方向外方に移動し、４分割されたリンク片６２ａ、６２ｂ、６２ｃ、６２ｄは４本の枢支ピン６５によって拡径方向に移動する。
【００４４】
従って、リンク片６２ａ、６２ｂ、６２ｃ、６２ｄで構成される拡張リンク６２の外周に装着された環状の止水ゴムＧが拡径されて、水道本管１の内壁を押圧しバタフライ弁６の外周が密閉される。
【００４５】
この状態で、旋回部材４０がテーパ状ホルダ３８から引き抜かれると、操作軸３５が圧縮ばね４８の作用で上方に移動して、揺動レバー３２の当接部３２ａを下降させることで他方の当接壁２４ｂに当接した当接部３２ａが図３（ａ）で示した規制ピン５４と同様な規制ピン（図示せず）と当接壁２４ｂとの間で挟まれて、揺動レバー３２の弁軸まわりの回動が規制されバタフライ弁６による水道本管１内壁の閉塞状態が維持される。
【００４６】
次いで、水道本管１の閉塞状態を解除する際は、バタフライ弁６を反対方向に９０度回動させる操作が行われる。そこで、バタフライ弁６を９０度反転するに際しテーパ状のホルダ３８に旋回部材４０下端の装着穴を装着して、揺動レバー３２を水平状態に揺動させて規制ピンから外し、段付き中空軸１６を回動可能な状態にする。しかしバタフライ弁６外周の止水ゴムＧによる水道本管１内壁への押圧力で段付き中空軸１６の回動に対し負荷が作用するため、クラッチ部材３０が作用してスピンドル３６のみが最初に反対方向に回動する。
【００４７】
スピンドル３６の反対方向の回動により、上下のネジ駒６６ａ、６６ｂが互いに接近する方向に平行移動することで４本の枢支ピン６５がバタフライ弁６の中心に向けて放射方向内方に移動し、４分割されたリンク片６２ａ、６２ｂ、６２ｃ、６２ｄは４本の枢支ピン６５によって縮径方向に移動する。
【００４８】
この止水ゴムＧの縮経によって、水道本管１内壁への押圧力が次第に減少するとバタフライ弁６の反対方向の回動が可能となり、揺動レバー３２の当接部３２ａが一方の当接壁２４ａに当接するまで段付き中空軸１６が反転してバタフライ弁６が開放され、当接後はクラッチ部材３０が作用してスピンドル３６のみが作用してネジ駒６６ａ、６６ｂが移動し、４分割されたリンク片６２ａ、６２ｂ、６２ｃ、６２ｄが充分縮径した後に、旋回部材４０をホルダ３８から引き抜くことで、下方に移動した当接部３２ａは規制ピン５４と当接壁２４ａとの間で挟まれてバタフライ弁６の開放状態が維持される。
【００４９】
従って、上記の実施形態ようにバタフライ弁の止水構造によれば、バタフライ弁６が、水道本管１の外方に延出している段付き中空軸１６及びスピンドル３６と、段付き中空軸１６の先端に取り付けたバタフライ弁本体７と、スピンドル３６に螺合され、このスピンドル３６の回動に応じて上下動するネジ駒６６ａ、６６ｂと、これらネジ駒６６ａ、６６ｂの上下動に応じてバタフライ弁本体７の円周方向に配置した止水ゴムＧを水道本管１の内面に押圧、又は押圧解除する拡張リンク６２から構成されることにより、バタフライ弁本体７の装着時の損傷が防げ、止水位置では止水ゴムＧを水道本管１の内面に押圧できるので確実な止水効果が得られる。
【００５０】
更に、ネジ駒６６ａ、６６ｂは、スピンドル３６の回動方向に対して互いに近接もしくは離反する１対のネジ駒６６ａ、６６ｂから成り、拡張リンク６２が、一対のネジ駒６６ａ、６６ｂの離反によって止水ゴムＧを水道本管１の内面に押圧すると共に、一対のネジ駒６６ａ、６６ｂの近接により押圧が解除できるようになっており、一対のネジ駒６６ａ、６６ｂの近接もしくは離反距離が相等しくなるように構成されているので、均等な止水ゴムＧの押圧が実現できる。
【００５１】
そして拡張リンク６２は、円周方向に均等に配置された４つのリンク片６２ａ、６２ｂ、６２ｃ、６２ｄから成り、ネジ駒６６ａ、６６ｂの近接、離反に対して半径方向に可動に支持されているので、４つのリンク片６２ａ、６２ｂ、６２ｃ、６２ｄの半径方向の拡張作用でより均一な押圧力を止水ゴムＧに与えることができる。
【００５２】
そしてまた、バタフライ弁６を、楕円形のバタフライ弁挿入孔Ｈより挿入後、バタフライ弁本体７が止水位置となる段付き中空軸１６の９０度までの回動は、スピンドル３６の回動に伴う段付き中空軸１６の連れ回りで行い、スピンドル３６の９０度を超える回動はネジ駒６６ａ、６６ｂの移動に変換されるようになっているので、９０度回動したバタフライ弁本体７の止水位置で止水ゴムＧの押圧作用が自動的に開始されるので、止水作業が容易に行える。
【００５３】
更に、スピンドル３６と段付き中空軸１６は、操作軸３５を介して連結され、スピンドル３６に旋回部材４０を装着した際に操作軸３５が作動して段付き中空軸１６の回動が許容されるようになっており、スピンドル３６に旋回部材４０を装着しない限り段付き中空軸１６の回動ができないので、不用意にバタフライ弁６が働くようなことはない。
【００５４】
また、段付き中空軸１６は、水道本管１の上部ハウジング５から突出した筒体８内に液密に挿嵌支持されたバタフライ弁支持部材１０に設けた当接壁２４ａ、２４ｂにより９０度以上の回動が阻止されるように構成されているので、バタフライ弁６の挿入位置と止水位置の位置決めを確実に設定できる。
【００５５】
次に、他の実施形態に係るバタフライ弁の止水構造における止水ゴムの拡径機構に付き図４を参照して説明する。図４は他の実施形態に係るバタフライ弁の断面図である。以下、上記実施形態に係る構成部材と同一構成部材については同一符号を付して重複する説明を省略する。
【００５６】
本実施形態に係るバタフライ弁８６は、一対の枢軸９４ａ、９４ｂを有する弁本体と、この弁本体の外周に装着される環状の止水ゴムＧ′一対の枢軸９４ａ、９４ｂに軸着された揺動可能な一対の半円弧状に形成された拡径部材８４ａ、８４ｂと、両拡径部材８４ａ、８４ｂの下端に配置した台形状の駒部材８８と、この駒部材８８と螺合して駒部材を上下動するネジ軸９０とを有している。
【００５７】
従って、本実施形態に係るバタフライ弁８６が、水道本管１上部側壁のバタフライ弁挿入孔Ｈを通して水道本管１の内部に挿入されて水道本管１内を閉鎖する方向に回動した状態において、旋回部材４０によりスピンドル３６の回動によってネジ軸９０が回動することで、台形状の駒部材８８が上方に移動する。
【００５８】
この駒部材８８の上方への移動により、拡径部材８４ａ、８４ｂ下方の拡開形成されたテーパ状の両摺動面８５ａ、８５ｂがクサビ作用で押圧されて、拡径部材８４ａ、８４ｂの外周が外側に押し広げられる。これにより、止水ゴムＧ′は拡径部材８４ａ、８４ｂによる径方向の拡径作用により水道本管１の内壁を押圧し、バタフライ弁８６の外周を密閉する。
【００５９】
次に、他の実施形態に係るバタフライ弁の止水構造における止水ゴムの拡径機構に付き図５を参照して説明する。図５は他の実施形態に係るバタフライ弁の断面図である。
【００６０】
本実施形態に係るバタフライ弁９６は、一対の枢軸１００ａ、１００ｂを有する弁本体と、この弁本体の外周に装着される環状の止水ゴムＧ”と、一対の枢軸１００ａ、１００ｂに軸着された揺動可能な一対の半円弧状に形成された拡径部材９８ａ、９８ｂと、両拡径部材９８ａ、９８ｂの上端に配置した台形状の駒部材９３と、この駒部材９３と螺合して駒部材を上下動するネジ軸９０とを有している。
【００６１】
従って、上記実施形態と同様にバタフライ弁９６が、水道本管１の内部に挿入されて水道本管１内を閉鎖する方向に回動した状態において、旋回部材４０によりスピンドル３６の回動によってネジ軸９０が回動することで、台形状の駒部材９３が下方に移動する。
【００６２】
この駒部材８８の下方への移動により、拡径部材９８ａ、９８ｂ上方の拡開形成されたテーパ状の両摺動面９５ａ、９５ｂがクサビ作用で押圧されて、拡径部材９８ａ、９８ｂの外周が外側に押し広げられる。これにより、止水ゴムＧ”は拡径部材９８ａ、９８ｂによる径方向の拡径作用により水道本管１の内壁を押圧してタフライ弁９６の外周を密閉する。
【００６３】
従って、上記のように構成された他の２つの実施形態によれば、揺動体の揺動運動で確実に止水ゴムを作動させることができる。
【００６４】
【発明の効果】
本発明によれば、次のような効果が得られる。
【００６５】
（ａ）請求項１に記載の発明によれば、止水ゴムに対する押圧を解除して挿入孔からバタフライ弁を挿入できるので弁体の損傷が防げ、止水位置では止水ゴムを流体管の内面に押圧できるので確実な止水効果が得られる。
【００６６】
（ｂ）請求項２に記載の発明によれば、揺動体の揺動運動という単純な機構で確実に止水ゴムを作動させることができる。
【００６７】
（ｃ）請求項３に記載の発明によれば、一対のネジ駒の近接もしくは離反距離が相等しいので、均等な止水ゴムの押圧が実現できる。
【００６８】
（ｄ）請求項４に記載の発明によれば、４つのリンクの半径方向の拡張作用でより均一な押圧力を止水ゴムに与えることができる。
【００６９】
（ｅ）請求項５に記載の発明によれば、９０度回動した弁本体の止水位置で止水ゴムの押圧作用が自動的に開始されるので、止水作業が容易に行える。
【００７０】
（ｆ）請求項６に記載の発明によれば、スピンドルに旋回部材を装着しない限り弁操作棒の回動ができないので、むやみに止水弁が働くことはない。
【００７１】
（ｇ）請求項７に記載の発明によれば、バタフライ弁が流体管軸方向に対して止水位置となる９０度の範囲までしか回動できないので、挿入位置と止水位置の位置決めが確実に設定できる。
【図面の簡単な説明】
【図１】本発明に係るバタフライ弁の閉鎖状態において、止水構造により既設流体管を止水した状態を示す断面図である。
【図２】図１のＡ−Ａ断面図である。
【図３】（ａ）はバタフライ弁の開閉操作機構を示す断面図であり、（ｂ）は（ａ）の平面図である。
【図４】他の実施形態に係るバタフライ弁の断面図である。
【図５】他の実施形態に係るバタフライ弁の断面図である。
【符号の説明】
１　　　　　　　　　水道本管（流体管）
２　　　　　　　　　密閉ハウジング
４　　　　　　　　　下部ハウジング
５　　　　　　　　　上部ハウジング
６　　　　　　　　　バタフライ弁
７　　　　　　　　　弁本体
８　　　　　　　　　筒体
８ａ　　　　　　　　フランジ
８ｂ　　　　　　　　大径段付き筒体
１０　　　　　　　　バタフライ弁支持部材
１２　　　　　　　　フランジ
１４　　　　　　　　バタフライ弁操作装置
１５　　　　　　　　シール装置
１６　　　　　　　　段付き中空軸（弁操作棒）
１８　　　　　　　　リテーナ
２０　　　　　　　　バタフライ弁回動規制部材
２１　　　　　　　　側壁
２２　　　　　　　　天板
２４ａ、２４ｂ　　　当接壁
２５ａ　　　　　　　ボルト
３０　　　　　　　　クラッチ部材
３２　　　　　　　　揺動レバー
３２ａ　　　　　　　当接部
３２ｂ　　　　　　　突出部
３４ａ、３４ｂ　　　枢支軸
３５　　　　　　　　操作軸（ロックピン）
３５ａ　　　　　　　頭部
３６　　　　　　　　スピンドル
３６ａ　　　　　　　スピンドル下部
３７　　　　　　　　ヒンジピン
３８　　　　　　　　テーパ状ホルダ
４０　　　　　　　　旋回部材
４０ａ　　　　　　　操作ハンドル
４２　　　　　　　　クラッチ板
４４　　　　　　　　硬球
４５ａ　　　　　　　受け板
４５ｂ　　　　　　　押圧板
４６　　　　　　　　突出部
５０　　　　　　　　支持リング
５４　　　　　　　　規制ピン
５６ａ、５６ｂ　　　ネジ軸
５８　　　　　　　　押圧体
６０　　　　　　　　シール部材
６２　　　　　　　　拡張リンク
６２ａ、６２ｂ　　　リンク片
６２ｃ、６２ｄ　　　リンク片
６４　　　　　　　　アーム
６５　　　　　　　　枢支ピン
６６ａ、６６ｂ　　　上部及び下部ネジ駒
６７　　　　　　　　長穴
６８　　　　　　　　中央連結部材
７０ａ　　　　　　　上部連結部材
７０ｂ　　　　　　　下部連結部材
７２　　　　　　　　放射溝
７４ａ、７４ｂ　　　円板状カバー
７６、７８　　　　　ガイドブッシュ
７７　　　　　　　　支持穴
８２　　　　　　　　受部材
８４ａ、８４ｂ　　　拡径部材（拡張リンク）
８５ａ、８５ｂ　　　摺動面
８６、９６　　　　　バタフライ弁
８８、９３　　　　　駒部材
９０　　　　　　　　ネジ軸
９４ａ、９４ｂ　　　枢軸
９５ａ、９５ｂ　　　摺動面
９８ａ、９８ｂ　　　拡径部材（拡張リンク）
１００ａ、１００ｂ　枢軸
Ｇ、Ｇ′、Ｇ”　　　止水ゴム
ｈ　　　　　　　　　バタフライ弁軸支持穴
Ｈ　　　　　　　　　バタフライ弁挿入孔
【図１】
2004125091.tif 000003
【図２】
2004125091.tif 000004
【図３】
2004125091.tif 000005
【図４】
2004125091.tif 000006
【図５】
2004125091.tif 000007